(57)【要約】【課題】蓄電池の小型化を図ることができ、かつ、停電時において電気機器に効率的に電力を供給できる無停電電力供給装置を提供する。【解決手段】複数の電気機器１ａ〜１ｉに電力を供給可能な蓄電池２と、デマンドコントロール装置３とを備え、このデマンドコントロール装置３は、複数の電気機器１ａ〜１ｉに対して電力供給すべき重要度に応じて優先順位を決めておき、停電時には、前記蓄電池２の充電残量に応じて、前記優先順位の低い電気機器１ａ〜１ｉから順に電力供給を制限していく。したがって、停電時において電気機器１ａ〜１ｉに効率的に電力を供給でき、また、全ての電気機器１ａ〜１ｉに停電時に常時電力を供給しないので、蓄電池２の小型化を図ることができる。。【選択図】        図１
2004328960.tif 000002
【特許請求の範囲】
【請求項１】
複数の電気機器に電力を供給可能な蓄電池と、
この蓄電池と前記複数の電気機器との間に設けられたデマンドコントロール装置とを備え、
前記デマンドコントロール装置は、前記複数の電気機器に対して電力供給すべき重要度に応じて優先順位を決めておき、停電時には、前記蓄電池の充電残量に応じて、前記優先順位の低い電気機器から順に電力供給を制限していくことを特徴とする無停電電力供給装置。
【請求項２】
請求項１に記載の無停電電力供給装置において、
太陽光発電装置を備え、この太陽光発電装置と前記蓄電池とが充放電コントローラを介して接続されており、
この充放電コントローラは、前記太陽光発電装置から前記蓄電池に充電可能とする充電可能状態と、前記太陽光発電装置から前記複数の電気機器に電力を供給可能とする太陽光電力供給可能状態と、前記蓄電池から前記複数の電気機器に電力を供給可能とする蓄電池電力供給可能状態とのうちの少なくとも一つの状態を選択可能であることを特徴とする無停電電力供給装置。
【請求項３】
請求項２に記載の無停電電力供給装置において、
前記充放電コントローラは、前記太陽光発電装置から複数の電気機器への電力供給量が不足する場合に、これら電気機器に前記蓄電池から不足分の電力を供給し、
前記デマンドコントロール装置は、複数の電気機器に対して電力供給すべき重要度に応じて優先順位を決めておき、停電時には、前記蓄電池２の充電残量に応じて、前記優先順位の低い電気機器から順に電力供給を制限していくことを特徴とする無停電電力供給装置。
【請求項４】
請求項２または３に記載の無停電電力供給装置において、
商用電源に前記充放電コントローラが接続されており、
この充放電コントローラは、前記太陽光発電装置が発電停止状態になった際に、前記蓄電池の充電残量に応じて、前記複数の電気機器に前記商用電源から電力を供給することを特徴とする無停電電力供給装置。
【請求項５】
請求項２〜４のいずれか一項に記載の無停電電力供給装置において、
自家発電コンセントに前記充放電コントローラが接続されており、
この充放電コントローラは、停電時に前記蓄電池が満充電である場合に、前記自家発電コンセントに前記太陽光発電装置から電力を供給することを特徴とする無停電電力供給装置。
【発明の詳細な説明】
【０００１】
【発明の属する技術分野】
本発明は、停電の際に複数の電気機器に電力を供給する無停電電力供給装置に関する。
【０００２】
【背景の技術】
無停電電力供給装置の一例として、特許文献１に記載の技術が知られている。この文献の図４に記載の無停電電力供給システムは、電源としての商用交流電源と、負荷機器（電気機器）と、これらの間の電力供給経路上に配設された無停電電源装置と、を備えている。
無停電電源装置は、入力端子からバイパス配線および二入力スイッチを介して出力端子に至る商用電力供給経路と、バッテリからＤＣ／ＡＣインバータおよび二入力スイッチを介して出力端子に至る蓄電電力供給経路とを備え、マイクロコンピュータは、入力電圧などを監視して二入力スイッチへ制御信号を出力することで、電源異常時には商用電力供給経路から蓄電電力供給経路へ切り替える制御を行っている。なお、ＡＣ／ＤＣコンバータは、バッテリを商用交流電源で充電するために設けられている。
【０００３】
そして、この無停電電源装置においてマイクロコンピュータは、通常、商用電力供給経路を選択するように二入力スイッチへ制御信号を出力し、商用交流電源の電力を負荷機器へ供給する。また、商用交流電源などに異常が発生すると、マイクロコンピュータはこの異常を入力電圧などによって検出し、二入力スイッチに対して蓄電電力供給経路へ切り替える制御信号を出力する。
このように無停電電源装置を設置することで、負荷機器に対して安定した電力を供給することができる。
【０００４】
【特許文献１】
特開２００２−２１８６７１号公報
【０００５】
【発明が解決しようとする課題】
ところで、上記のような無停電電力供給装置では、停電時においてバッテリ（蓄電池）から負荷機器（電気機器）に電力を供給しているが、電気機器が複数ある場合は、電気機器の数が多くなるにしたがって蓄電池の容量を大きくする必要がある。しかし、停電が発生する確率は極めて低いため、万が一の停電に備えて容量の大きい蓄電池を備えるのは、経済上あるいは蓄電池を設置する場所の大きさにおいても好ましくない。
一方、住宅などに備える電気機器においては、常時電力を供給する必要があるものや、そうでないものが混在している。
【０００６】
本発明は上記事情に鑑みてなされたものであり、蓄電池の小型化を図ることができ、かつ、停電時において電気機器に効率的に電力を供給できる無停電電力供給装置を提供することを課題としている。
【０００７】
【課題を解決するための手段】
上記課題を解決するために、請求項１に記載の発明は、例えば図１に示すように、複数の電気機器１ａ〜１ｉに電力を供給可能な蓄電池２と、
この蓄電池２と前記複数の電気機器１ａ〜１ｉとの間に設けられたデマンドコントロール装置３とを備え、
前記デマンドコントロール装置３は、前記複数の電気機器１ａ〜１ｉに対して電力供給すべき重要度に応じて優先順位を決めておき、停電時には、前記蓄電池２の充電残量に応じて、前記優先順位の低い電気機器１ａ〜１ｉから順に電力供給を制限していくことを特徴とする。
【０００８】
ここで、電力供給を制限するとは、電力供給を断続的に行ったり、電力供給量を抑えたり、電力供給を遮断したりすることを意味する。
また、前記優先順位は電力供給すべき重要度に加えて電気機器の特性に応じても決めておくのが望ましい。
さらに、前記複数の電気機器に対して電力供給すべき重要度に応じて優先順位を決める場合、例えば、複数の電気機器を４つのクラスＡ〜Ｄにクラス分けして優先順位を決めるようにする。なお、優先順位の決め方はこのクラス分けに限るものではない。
クラスＡは、瞬断（瞬間的に電力供給が断たれること）無しに常時電力を供給する必要がある電気機器であり、例えば、電子錠や感知器（ガス漏れ感知器、不法侵入者感知器等）等のセキュリティ機器や、家庭内サーバ等のコンピュータが挙げられる。
クラスＢは、瞬断可であるが、常時電力を供給する必要がある電気機器であり、例えば、電動シャッター、電話機、ＦＡＸ機等が挙げられる。
【０００９】
クラスＣは、必要な時にのみ電力を供給する必要がある電気機器であり、例えば、チューナー、アンテナ、シャワートイレの洗浄用電源等が挙げられる。なお、クラスＣの電気機器において、電力の需要を自動的に検出してコントロールする手段が無い場合はクラスＢと同等とする。
クラスＤは、間欠的に電力を供給しても動作に支障がない電気機器であり、例えば換気システム等が挙げられる。
【００１０】
請求項１に記載の発明によれば、デマンドコントロール装置３が、複数の電気機器１ａ〜１ｉに対して電力供給すべき重要度に応じて優先順位を決めておき、停電時には、前記蓄電池２の充電残量に応じて、前記優先順位の低い電気機器１ａ〜１ｉから順に電力供給を制限していくので、停電時において電気機器１ａ〜１ｉに効率的に電力を供給でき、よって、停電時間が長くなっても、生活に必要な最低限の電気機器の稼動を維持できる。
また、全ての電気機器１ａ〜１ｉに停電時に常時電力を供給しないので、蓄電池２の小型化を図ることができる。
【００１１】
請求項２に記載の発明は、請求項１に記載の無停電電力供給装置において、
太陽光発電装置４を備え、この太陽光発電装置４と前記蓄電池２とが充放電コントローラ５を介して接続されており、
この充放電コントローラ５は、前記太陽光発電装置４から前記蓄電池２に充電可能とする充電可能状態と、前記太陽光発電装置４から前記複数の電気機器１ａ〜１ｉに電力を供給可能とする太陽光電力供給可能状態と、前記蓄電池２から前記複数の電気機器１ａ〜１ｉに電力を供給可能とする蓄電池電力供給可能状態とのうちの少なくとも一つの状態を選択可能であることを特徴とする。
【００１２】
請求項２に記載の発明によれば、通常時（停電でない時）において、太陽光発電装置４が稼動している場合に、充放電コントローラ５が、太陽光電力供給可能状態を選択することによって、複数の電力機器１ａ〜１ｉに太陽光発電装置４から電力を供給することができ、よって、商用電力を使用することなく、かつ、蓄電池２の電気残量を減らすことなく、複数の電力機器１ａ〜１ｉを稼動状態とすることができる。
また、通常時において、太陽光発電装置４が稼動している場合に、充放電コントローラ５が、充電可能状態と太陽光電力供給可能状態の双方を選択することによって、蓄電池２に太陽光発電装置４から電力を供給することができるとともに、複数の電力機器１ａ〜１ｉに太陽光発電装置４から電力を供給することができ、よって、商用電力を使用することなく、蓄電池２に充電しつつ、複数の電力機器１ａ〜１ｉを稼動状態とすることができる。
さらに、通常時において、太陽光発電装置４からの電力供給が不足している場合、充放電コントローラ５が蓄電池電力供給可能状態を選択することによって、不足分の電力を蓄電池２から電気機器１ａ〜１ｉに供給することができる。したがって、太陽光発電装置４からの電力供給が不足していても、複数の電力機器１ａ〜１ｉを稼動状態とすることができる。
また、通常時において、太陽光発電装置４が稼動していない場合に、充放電コントローラ５が、蓄電池電力供給可能状態を選択することによって、複数の電力機器１ａ〜１ｉに蓄電池２から電力を供給することができ、よって、商用電力を使用することなく、複数の電力機器１ａ〜１ｉを稼動状態とすることができる。さらに、この場合、電気料金が高い時間帯において、複数の電力機器１ａ〜１ｉに蓄電池２から電力を供給することによって、ピークシフトによるランニングコストの低減を図ることができる。なお、この場合、蓄電池２に、停電時に電力を使用する第１領域と、通常時に電力を利用する第２領域とを設定しておき、この第２領域から電力を供給する。
【００１３】
また、停電時において、太陽光発電装置４が稼動している場合に、充放電コントローラ５が、太陽光電力供給可能状態を選択することによって、複数の電力機器１ａ〜１ｉに太陽光発電装置４から電力を供給することができ、よって、商用電力を使用することなく、かつ、蓄電池２の電気残量を減らすことなく、複数の電力機器１ａ〜１ｉを稼動状態とすることができる。
また、停電時において、太陽光発電装置４が稼動している場合に、充放電コントローラ５が、充電可能状態と太陽光電力供給可能状態の双方を選択することによって、蓄電池２に太陽光発電装置４から電力を供給することができるとともに、複数の電力機器１ａ〜１ｉに太陽光発電装置４から電力を供給することができ、よって、商用電力を使用することなく、蓄電池２に充電しつつ、複数の電力機器１ａ〜１ｉを稼動状態とすることができる。
【００１４】
さらに、太陽光発電装置４からの電力供給が不足している場合、充放電コントローラ５が蓄電池電力供給可能状態を選択することによって、不足分の電力を蓄電池２から電気機器１ａ〜１ｉに供給することができる。したがって、太陽光発電装置４からの電力供給が不足していても、複数の電力機器１ａ〜１ｉを稼動状態とすることができる。
また、この場合、デマンドコントロール装置３が複数の電気機器１ａ〜１ｉに対して電力供給すべき重要度に応じて優先順位を決めておき、前記蓄電池２の充電残量に応じて、前記優先順位の低い電気機器１ａ〜１ｉから順に電力供給を制限していくので、停電時において電気機器１ａ〜１ｉに効率的に電力を供給でき、よって、停電時間が長くなっても、生活に必要な最低限の電気機器１ａ〜１ｉの稼動を維持できる。
【００１５】
また、停電時において、太陽光発電装置４が稼動していない場合に、充放電コントローラ５が、蓄電池電力供給可能状態を選択することによって、複数の電力機器１ａ〜１ｉに蓄電池２から電力を供給することができ、よって、商用電力を使用することなく（商用電力は停電時なので使用不可である）、複数の電力機器１ａ〜１ｉを稼動状態とすることができる。
そして、この際、デマンドコントロール装置３が、複数の電気機器１ａ〜１ｉに対して電力供給すべき重要度に応じて優先順位を決めておき、前記蓄電池２の充電残量に応じて、前記優先順位の低い電気機器１ａ〜１ｉから順に電力供給を制限していくので、停電時において電気機器１ａ〜１ｉに効率的に電力を供給でき、よって、停電時間が長くなっても、生活に必要な最低限の電気機器１ａ〜１ｉの稼動を維持できる。
【００１６】
このように請求項２に記載の発明によれば、太陽光発電装置４と蓄電池２とを充放電コントローラ５を介して接続することにより、通常時、停電時等において、太陽光発電装置４の発電時と発電停止時状態のそれぞれに応じて、電力供給の最適な状態を得ることができる。
【００１７】
請求項３に記載の発明は、請求項２に記載の無停電電力供給装置において、
前記充放電コントローラ５は、前記太陽光発電装置４から複数の電気機器１ａ〜１ｉへの電力供給量が不足する場合に、これら電気機器１ａ〜１ｉに前記蓄電池から不足分の電力を供給し、
前記デマンドコントロール装置３は、複数の電気機器１ａ〜１ｉに対して電力供給すべき重要度に応じて優先順位を決めておき、停電時には、前記蓄電池２の充電残量に応じて、前記優先順位の低い電気機器１ａ〜１ｉから順に電力供給を制限していくことを特徴とする。
【００１８】
請求項３に記載の発明によれば、太陽光発電装置４からの電力供給によって複数の電気機器１ａ〜１ｉが稼動している場合に、この電力供給量が不足しても、これら電気機器１ａ〜１ｉに蓄電池２から不足分の電力を供給するので、電気機器の稼動を維持できる。
また、不足分の電力を蓄電池２から電気機器１ａ〜１ｉに供給する場合、デマンドコントロール装置３が優先順位の低い電気機器から順に電力供給を制限していくので、停電時において電気機器１ａ〜１ｉに効率的に電力を供給でき、よって、停電時間が長くなっても、生活に必要な最低限の電気機器を稼動を維持できる。
【００１９】
請求項４に記載の発明は、請求項２または３に記載の無停電電力供給装置において、
商用電源９ａに前記充放電コントローラ５が接続されており、
この充放電コントローラ５は、前記太陽光発電装置４が発電停止状態になった際に、前記蓄電池２の充電残量に応じて、前記複数の電気機器１ａ〜１ｉに前記商用電源９ａから電力を供給することを特徴とする。
【００２０】
請求項４に記載の発明によれば、通常時において、太陽光発電装置４が発電停止状態になり、さらに、蓄電池２の充電残量が減ってきて、電気機器１ａ〜１ｉを稼動させるのに不十分な充電残量になっても、その不足分の電力を商用電源９ａから複数の電気機器１ａ〜１ｉに供給することができるので、電気機器１ａ〜１ｉの稼動を維持できる。
【００２１】
請求項５に記載の発明は、請求項２〜４のいずれか一項に記載の無停電電力供給装置において、
自家発電コンセント１０に前記充放電コントローラ５が接続されており、
この充放電コントローラ５は、停電時に前記蓄電池２が満充電である場合に、前記自家発電コンセント１０に前記太陽光発電装置４から電力を供給することを特徴とする。
【００２２】
請求項５に記載の発明によれば、停電時に、自家発電コンセント１０に太陽光発電装置４から電力を供給するので、蓄電池２から供給される電力によって稼動する電気機器１ａ〜１ｉ以外の電気機器を稼動させることができる。
【００２３】
【発明の実施の形態】
以下、図面を参照して本発明の実施の形態について説明する。
図１は本発明に係る無停電電力供給装置のブロック図を示す。
この図に示すように、無停電電力供給装置は、複数の電気機器１ａ〜１ｉに電力を供給可能な蓄電池２と、この蓄電池２と複数の電気機器１ａ〜１ｉとの間に設けられたデマンドコントロール装置３とを備えている。
【００２４】
また、無停電電力供給装置は、太陽光発電装置４を備えている。この太陽光発電装置４は充放電コントローラ５に接続されている。この充放電コントローラ５には、前記蓄電池２、電気自動車への電力供給部６、燃料電池７がそれぞれ接続されている。さらに、充放電コントローラ５は、ＰＶインバータ８を介して分電盤９の自家発電コンセント１０に接続されている。ＰＶインバータ８は、太陽光発電装置４によって発電された直流電力を交流電力に変換して出力するものである。自家発電コンセント１０は、太陽光発電装置４で発電された電力が供給されるものであり、この自家発電コンセント１０に、前記電気機器１ａ〜１ｉとは別の電気機器を接続することによって、この電気機器が太陽光発電装置４で発電された電力で稼動できるようになっている。
分電盤９には商用電力ＳＡＤが供給されるようになっており、この商用電力の商用電源９ａが分電盤９に複数設けられている。
【００２５】
分電盤９には、太陽光発電装置４によって発電された電力や、蓄電池２に充電されている電力等が供給される入力部９ｂが設けられており、この入力部９ｂと充放電コントローラ５がインバータ１１を介して接続されている。インバータ１１は、太陽光発電装置４によって発電された直流電力や、蓄電池２に充電されている直流電力を交流電力に変換して出力するものである。また、前記入力部９ｂには、この入力部９に供給された電力（交流電力）を出力する出力部９ｃが接続されており、この出力部９ｃに、前記デマンドコントロール装置３を介して複数の電気機器１ａ〜１ｉが接続されている。
【００２６】
また、前記充放電コントローラ５には、多機能エネルギー表示装置１２が接続されており、この多機能エネルギー表示装置１２には、ＡＤＳＬモデム１３がルータ１４を介して接続されている。なお、このルータ１４は無線ＬＡＮのアクセスポイントとしての機能を有している。
また、多機能エネルギー表示装置１２は、前記電気機器１ａ〜１ｉが接続されている。そして、多機能エネルギー表示装置１２は、前記電力機器１ａ〜１ｉの状態を表示できるようになっている。さらに、多機能エネルギー表示装置１２は、ＡＤＳＬモデム１３によって外部のインターネットに接続されており、インターネットからの情報を表示できるようになっている。また、多機能エネルギー表示装置１２は、電気機器の一つであるＴＶドアフォン１ａに接続されており、ＴＶドアフォン１ａで撮影している訪問者等を表示できるようになっている。多機能エネルギー表示装置１２は、図示は省略するが本体と、この本体に着脱自在に装着され、本体との間で情報の授受が無線によって行える表示器とから構成されている。
【００２７】
前記多機能エネルギー表示装置１２は、ＩＰ電話（ＩＰ網（インターネット）を使った電話）の機能を備えており、この多機能エネルギー表示装置１２に電話子機携帯ＩＰ電話１ｂが無線で接続されている。
無線ＬＡＮ対応機器１ｃは、前記ルータ１４のアクセスポイントに無線で接続可能な電気機器であり、例えば、ノート型のパーソナルコンピュータ、ＰＤＡ、プリンタサーバ、ハードディスクを備えたビデオレコーダ等がある。
アンテナ、チューナ１ｆとは、主に衛星放送用のアンテナ、チューナのことである。
換気システム１ｉとしては、例えばセントラル換気システムがあり、電力が供給されるのは換気システムを構成するファン等である。
【００２８】
上記のような電気機器１ａ〜１ｉには、分電盤９の出力部９ｃからデマンドコントロール装置３を介して電力が供給されるが、このデマンドコントロール装置３は、複数の電気機器１ａ〜１ｉに対して電力供給すべき重要度に応じて優先順位を決めておき、停電時には、蓄電池２の充電残量に応じて、前記優先順位の低い電気機器から順に電力供給を制限していく。
【００２９】
複数の電気機器１ａ〜１ｉに対して電力供給すべき重要度に応じて優先順位を決める場合、本実施の形態では、複数の電気機器１ａ〜１ｉを４つのクラスＡ〜Ｄにクラス分けして優先順位を決めるようにする。
クラスＡは、瞬断（瞬間的に電力供給が断たれること）無しに常時電力を供給する必要がある電気機器であり、例えば、電子錠１ｇや感知器（ガス漏れ感知器、不法侵入者感知器等）等のセキュリティ機器や、家庭内サーバ等のコンピュータが挙げられる。
クラスＢは、瞬断可であるが、常時電力を供給する必要がある電気機器であり、例えば、電動シャッター１ｈ、アナログ電話機１ｄ、ＦＡＸ機１ｅ、電話子機携帯ＩＰ電話１ｂ、ＴＶドアフォン１ａ等が挙げられる。
【００３０】
クラスＣは、必要な時にのみ電力を供給する必要がある電気機器であり、例えば、チューナー、アンテナ１ｆ、無線ＬＡＮ対応機器１ｃ、シャワートイレの洗浄用電源等が挙げられる。
クラスＤは、間欠的に電力を供給しても動作に支障がない電気機器であり、例えば換気システム１ｉ等が挙げられる。
なお、多機能エネルギー表示装置１２には、充放電コントローラ５から直接電力を供給し、多機能エネルギー表示装置１２を介してルータ１４、ＡＤＳＬモデム１３にも電力を供給する。
【００３１】
また、前記充放電コントローラ５は、太陽光発電装置４から蓄電池２や電気自動車への電力供給部６に充電可能とする充電可能状態と、太陽光発電装置４から複数の電気機器１ａ〜１ｉに電力を供給可能とする太陽光電力供給可能状態と、蓄電池４から複数の電気機器１ａ〜１ｉに電力を供給可能とする蓄電池電力供給可能状態と、商用電源９ａから電気機器１ａ〜１ｉに電力を供給可能とする商用電力供給可能状態と、太陽光発電装置４から自家発電コンセント１０に電力を供給可能とする太陽光電力自家発電供給可能状態とのうちの少なくとも一つの状態を選択可能となっている。
【００３２】
また、充放電コントローラ５は、太陽光発電装置４から複数の電気機器１ａ〜１ｉへの電力供給量が不足する場合に、これら電気機器１ａ〜１ｉに蓄電池２から不足分の電力を供給するようになっている。
さらに、充放電コントローラ５は、太陽光発電装置４が発電停止状態になった際に、蓄電池２の充電残量に応じて、複数の電気機器１ａ〜１ｉに商用電源９ａから電力を供給するようになっている。
また、充放電コントローラ５は、停電時に蓄電池２が満充電である場合に、自家発電コンセント１０に太陽光発電装置４から電力を供給するようになっている。
【００３３】
次に上記のような構成の無停電電力供給装置の作用について説明する。
（１）通常時（停電でない時）
通常時においては、太陽光発電装置４が発電を開始しているか、あるいは発電を停止しているかの二つ場合がある。
ａ．発電を開始している場合
この場合、充放電コントローラ５が、太陽光電力供給可能状態を選択することによって、太陽光発電装置４から優先的に電気機器１ａ〜１ｉに電力を供給する。そして、余剰分の電力は、充放電コントローラ５が充電可能状態を選択することによって、満充電になるまで蓄電池２に供給されて充電される。また、満充電ならば、ＰＶインバータ８を介して通常負荷（前記電気機器１ａ〜１ｉ以外の通常の電気機器）に電力を供給する。
【００３４】
また、太陽光発電装置４の発電力が不足したら、充放電コントローラ５が蓄電池電力供給可能状態を選択することによって、不足分の電力を蓄電池２から電気機器１ａ〜１ｉに供給する。
したがって、通常時において、太陽光発電装置４からの電力供給によって複数の電気機器１ａ〜１ｉが稼動している場合に、この電力供給量が不足しても、これら電気機器１ａ〜１ｉに蓄電池２から不足分の電力を供給するので、電気機器１ａ〜１ｉの稼動を維持できる。
【００３５】
ｂ．発電が停止している場合
この場合、充放電コントローラ５が蓄電池電力供給可能状態を選択することによって、蓄電池２から電気機器１ａ〜１ｉに電力供給する。この場合、蓄電池２の充電残量が所定のレベル（無停電電力供給を保証する量）までは、蓄電池２から電力を供給し、所定のレベル以下になったら、充放電コントローラ５が商用電力供給可能状態を選択することによって、商用電源９ａから電気機器１ａ〜１ｉに電力を供給する。
したがって、通常時において、太陽光発電装置４が発電停止状態になり、さらに、蓄電池２の充電残量が減ってきて、電気機器１ａ〜１ｉを稼動させるのに不十分な充電残量になっても、その不足分の電力を商用電源９ａから複数の電気機器１ａ〜１ｉに供給することができ、電気機器１ａ〜１ｉの稼動を維持できる。
【００３６】
（２）停電時
停電時においても、太陽光発電装置４が発電を開始しているか、あるいは発電を停止しているかの二つ場合がある。
ａ．発電を開始している場合
この場合、充放電コントローラ５が、太陽光電力供給可能状態を選択することによって、太陽光発電装置４から優先的に電気機器１ａ〜１ｉに電力を供給する。そして、余剰分の電力は、充放電コントローラ５が充電可能状態を選択することによって、満充電になるまで蓄電池２に供給されて充電される。また、満充電ならば、充放電コントローラ５が太陽光電力自家発電供給可能状態を選択することによって、ＰＶインバータ８を介して自家発電コンセント１０に供給する。
このように、停電時に、自家発電コンセント１０に太陽光発電装置４から電力を供給するので、蓄電池２から供給される電力によって稼動する電気機器１ａ〜１ｉ以外の電気機器を稼動させることができる。
【００３７】
また、太陽光発電装置４の発電力が不足したら、充放電コントローラ５が蓄電池電力供給可能状態を選択することによって、不足分の電力を蓄電池２から電気機器１ａ〜１ｉに供給する。
したがって、停電時において、太陽光発電装置４からの電力供給によって複数の電気機器１ａ〜１ｉが稼動している場合に、この電力供給量が不足しても、これら電気機器１ａ〜１ｉに蓄電池２から不足分の電力を供給するので、電気機器１ａ〜１ｉの稼動を維持できる。
【００３８】
また、不足分の電力を蓄電池２から電気機器１ａ〜１ｉに供給する場合、前記デマンドコントロール装置３がデマンドコントロールを行う。すなわち、複数の電気機器１ａ〜１ｉに対して電力供給すべき重要度に応じて優先順位を、上述したように４つのクラスＡ〜Ｄに分けて決めておき、蓄電池２の充電残量に応じて、優先順位の低い電気機器から順に電力供給を制限していく。
したがって、停電時において電気機器１ａ〜１ｉに効率的に電力を供給でき、よって、停電時間が長くなっても、生活に必要な最低限の電気機器を稼動を維持できる。
【００３９】
ｂ．発電が停止している場合
この場合、充放電コントローラ５が蓄電池電力供給可能状態を選択することによって、蓄電池２から電気機器１ａ〜１ｉに電力供給する。
この場合、蓄電池２の充電残量に応じてデマンドコントロール装置３がデマンドコントロールを行う。すなわち、複数の電気機器１ａ〜１ｉに対して電力供給すべき重要度に応じて優先順位を、上述したように４つのクラスＡ〜Ｄに分けて決めておき、蓄電池２の充電残量に応じて、優先順位の低い電気機器から順に電力供給を制限していく。
したがって、太陽光発電装置４が停止しており、しかも停電時において電気機器１ａ〜１ｉに効率的に電力を供給でき、よって、停電時間が長くなっても、生活に必要な最低限の電気機器１ａ〜１ｉの稼動を維持できる。
【００４０】
このように、本実施の形態では、太陽光発電装置４、蓄電池、商用電源９ａ、自家発電コンセント１０を充放電コントローラ５を介して接続することにより、通常時、停電時等において、太陽光発電装置４の稼動、非稼動状態に応じて、電力供給の最適な状態を得ることができる。
また、停電時において、デマンドコントロール装置３によって、デマンドコントロールを行って、全ての電気機器１ａ〜１ｉに蓄電池２から常時電力を供給しないようにしているので、蓄電池２の小型化を図ることができる。
【００４１】
なお、本実施の形態では、デマンドコントロール装置３によってデマンドコントロールする電気機器を１ａ〜１ｉの種類にしたが、これに限ることはない。例えば、監視カメラ、火災センサ、トイレ等のパイプファン、ガス給湯器、浄化槽ポンプ、太陽熱温水器循環ポンプ、緊急時における夜間照明等をデマンドコントロールしてもよい。
【００４２】
【発明の効果】
以上説明したように、請求項１に記載の発明によれば、デマンドコントロール装置が、蓄電池の充電残量に応じて、優先順位の低い電気機器から順に電力供給を制限していくので、停電時において電気機器に効率的に電力を供給できる。したがって、停電時間が長くなっても、生活に必要な最低限の電気機器を稼動を維持できる。
また、全ての電気機器に停電時に常時電力を供給しないので、蓄電池の小型化を図ることができる。
【００４３】
請求項２に記載の発明によれば、太陽光発電装置と蓄電池とを充放電コントローラを介して接続することにより、通常時、停電時等において、太陽光発電装置の発電時と発電停止時状態のそれぞれに応じて、電力供給の最適な状態を得ることができる。
【００４４】
請求項３に記載の発明によれば、太陽光発電装置からの電力供給によって複数の電気機器が稼動している場合に、この電力供給量が不足しても、これら電気機器に蓄電池から不足分の電力を供給するので、電気機器の稼動を維持できる。
また、不足分の電力を蓄電池から電気機器に供給する場合、デマンドコントロール装置が優先順位の低い電気機器から順に電力供給を制限していくので、停電時において電気機器に効率的に電力を供給できる。
【００４５】
請求項４に記載の発明によれば、太陽光発電装置が発電停止状態になり、さらに、蓄電池の充電残量が減ってきて、電気機器を稼動させるのに不十分な充電残量になっても、その不足分の電力を商用電源から複数の電気機器に供給することができるので、電気機器の稼動を維持できる。
【００４６】
請求項５に記載の発明によれば、停電時に、自家発電コンセントに太陽光発電装置から電力を供給するので、蓄電池から供給される電力によって稼動する電気機器以外の電気機器を稼動させることができる。
【図面の簡単な説明】
【図１】本発明に係る無停電電力供給装置の概略構成を示すブロック図である。
【符号の説明】
１ａ〜１ｉ  電気機器
２  蓄電池
３  デマンドコントロール装置
４  太陽光発電装置
５  充放電コントローラ
９ａ  商用電源
１０  自家発電コンセント
【図１】
2004328960.tif 000003